(57)【特許請求の範囲】
【請求項１】
記録媒体の上方において前記記録媒体を転写ローラへガイドするためのガイド部材であって、前記記録媒体の搬送方向をガイドして搬送路を構成するガイド位置と、前記ガイド位置から上方に回動して、前記搬送路を開放する退避位置とをとり得るガイド部材を有して、前記記録媒体に画像を形成するための電子写真画像形成装置本体に着脱可能なプロセスカートリッジにおいて、
カートリッジフレームと、
前記プロセスカートリッジを前記電子写真画像形成装置本体に装着した際に前記転写ローラと接触する電子写真感光体ドラムと、
前記電子写真感光体ドラムに作用するプロセス手段と、
前記カートリッジフレームに設けられた、前記プロセスカートリッジを前記装置本体に装着する際に、前記ガイド部材が前記退避位置に位置している場合に、前記ガイド部材に設けられた本体当接部に突き当って前記ガイド部材を前記ガイド位置へ移動させるための第一カートリッジ当接部であって、前記プロセスカートリッジを前記装置本体に装着する装着方向において前記電子写真感光体ドラムよりも前方に設けられた第一カートリッジ当接部と、
前記カートリッジフレームに設けられた第二カートリッジ当接部であって、前記プロセスカートリッジを前記装置本体に装着した際に、前記ガイド部材において前記記録媒体が詰まった場合に、前記記録媒体によって前記ガイド部材が上方に持ち上がるのを規制するために前記ガイド部材と当接する第二カートリッジ当接部と、
前記カートリッジフレームに設けられた、前記電子写真感光体ドラムと同軸で前記電子写真感光体ドラムの外径よりも大きい外径を有する第三カートリッジ当接部であって、前記プロセスカートリッジを前記装置本体から取り外す際に、前記記録媒体によって前記第二カートリッジ当接部と当接する位置まで持ち上がった前記ガイド部材が前記電子写真感光体ドラムと接触しないように、前記ガイド部材と当接して押し下げる第三カートリッジ当接部と、
を有することを特徴とするプロセスカートリッジ。
【請求項２】
プロセスカートリッジを着脱可能であって、記録媒体に画像を形成するための電子写真画像形成装置において、
（ａ）記録媒体の上方において前記記録媒体を転写ローラへガイドするためのガイド部材であって、前記記録媒体の搬送方向をガイドして搬送路を構成するガイド位置と、前記ガイド位置から上方に回動して、前記搬送路を開放する退避位置とをとり得るガイド部材と、
（ｂ）カートリッジフレームと、前記プロセスカートリッジを前記電子写真画像形成装置本体に装着した際に前記転写ローラと接触する電子写真感光体ドラムと、前記電子写真感光体ドラムに作用するプロセス手段と、前記カートリッジフレームに設けられた、前記プロセスカートリッジを前記装置本体に装着する際に、前記ガイド部材が前記退避位置に位置している場合に、前記ガイド部材に設けられた本体当接部に突き当って前記ガイド部材を前記ガイド位置へ移動させるための第一カートリッジ当接部であって、前記プロセスカートリッジを前記装置本体に装着する装着方向において前記電子写真感光体ドラムよりも前方に設けられた第一カートリッジ当接部と、前記カートリッジフレームに設けられた第二カートリッジ当接部であって、前記プロセスカートリッジを前記装置本体に装着した際に、前記ガイド部材において前記記録媒体が詰まった場合に、前記記録媒体によって前記ガイド部材が上方に持ち上がるのを規制するために前記ガイド部材と当接する第二カートリッジ当接部と、前記カートリッジフレームに設けられた、前記電子写真感光体ドラムと同軸で前記電子写真感光体ドラムの外径よりも大きい外径を有する第三カートリッジ当接部であって、前記プロセスカートリッジを前記装置本体から取り外す際に、前記記録媒体によって前記第二カートリッジ当接部と当接する位置まで持ち上がった前記ガイド部材が前記電子写真感光体ドラムと接触しないように、前記ガイド部材と当接して押し下げる第三カートリッジ当接部と、を有するプロセスカートリッジを取り外し可能に装着するための装着部材と、
（ｃ）前記記録媒体を搬送するための搬送部材と、
を有する電子写真画像形成装置。
【発明の詳細な説明】
【０００１】
【発明の属する技術分野】
本発明は、レーザービームプリンタや複写機等の電子写真画像形成装置及び前記電子写真画像形成装置に使用されるプロセスカートリッジに関するものである。
【０００２】
【従来の技術】
電子写真画像形成方式を用いた電子写真画像形成装置は帯電手段によって一様に帯電させた電子写真感光体に画像情報に応じて選択的な露光を行って潜像を形成する。そしてその潜像を現像手段によってトナーを用いて現像してトナー像を形成する。その後、前記電子写真感光体に形成したトナー像を転写手段によって記録紙に転写して画像形成を行う。
【０００３】
このような電子写真画像形成装置のうち、装置のメンテナンスを容易に行うことができるようにするため、帯電手段、現像手段またはクリーニング手段と電子写真感光体とを一体的にカートリッジ化し、このようなプロセスカートリッジを画像形成装置本体に着脱可能としたものが広く実用されている。
【０００４】
また、このような画像形成装置にあっては記録紙を搬送して画像を形成する。そして、記録紙の搬送はローラ対を用いるのが一般的である。例えばギア等を介してモータと連結して駆動回転する搬送ローラと、これに圧接して従動回転する従動コロとによって記録紙を挟持して搬送する。そしてこの記録紙に画像形成手段で画像を形成する。この時、前記ローラ対の記録紙搬送方向にガイド部材を設けこれによって記録紙が正確に搬送されるようにしている。このような記録紙搬送手段にあっては、記録紙がジャムしたときに、ガイド部材を退避可能に構成したものが知られている。これによって、ジャムした記録紙を取りだし易くしている。
【０００５】
【発明が解決しようする課題】
本発明は従来の技術を更に発展させたものである。
【０００６】
本発明の目的は、プロセスカートリッジを画像形成装置本体に着脱する際の着脱操作性を向上させたプロセスカートリッジ、及び、電子写真画像形成装置を提供することにある。
【０００８】
本発明の他の目的は、所定の位置から退避可能な搬送ガイドを備えた電子写真画像形成装置に着脱可能なプロセスカートリッジ、及び電子写真画像形成装置において、ジャム処理後に、記録媒体の搬送方向をガイドするためのガイド部材を元に戻さずにプロセスカートリッジを挿入しても、ガイド部材が電子写真感光体ドラムに突き当って、電子写真感光体ドラムに傷がつく事のないプロセスカートリッジ、及び、電子写真画像形成装置を提供することにある。
【０００９】
本発明の他の目的は、プロセスカートリッジを装置本体に装着する際に、前記装置本体に設けられたガイド部材が前記退避位置に位置している場合に、前記ガイド部材に設けられた本体当接部に突き当って前記ガイド部材を前記ガイド位置へ移動させるためのカートリッジ当接部を有するプロセスカートリッジ、及び、電子写真画像形成装置を提供することにある。
【００１０】
【課題を解決するための手段】
主要な本発明は請求項と対応する番号を付して示せば以下のとおりである。
【００１１】
本出願に係る第１の発明は記録媒体の上方において前記記録媒体を転写ローラへガイドするためのガイド部材であって、前記記録媒体の搬送方向をガイドして搬送路を構成するガイド位置と、前記ガイド位置から上方に回動して、前記搬送路を開放する退避位置とをとり得るガイド部材を有して、前記記録媒体に画像を形成するための電子写真画像形成装置本体に着脱可能なプロセスカートリッジにおいて、
カートリッジフレームと、
前記プロセスカートリッジを前記電子写真画像形成装置本体に装着した際に前記転写ローラと接触する電子写真感光体ドラムと、
前記電子写真感光体ドラムに作用するプロセス手段と、
前記カートリッジフレームに設けられた、前記プロセスカートリッジを前記装置本体に装着する際に、前記ガイド部材が前記退避位置に位置している場合に、前記ガイド部材に設けられた本体当接部に突き当って前記ガイド部材を前記ガイド位置へ移動させるための第一カートリッジ当接部であって、前記プロセスカートリッジを前記装置本体に装着する装着方向において前記電子写真感光体ドラムよりも前方に設けられた第一カートリッジ当接部と、
前記カートリッジフレームに設けられた第二カートリッジ当接部であって、前記プロセスカートリッジを前記装置本体に装着した際に、前記ガイド部材において前記記録媒体が詰まった場合に、前記記録媒体によって前記ガイド部材が上方に持ち上がるのを規制するために前記ガイド部材と当接する第二カートリッジ当接部と、
前記カートリッジフレームに設けられた、前記電子写真感光体ドラムと同軸で前記電子写真感光体ドラムの外径よりも大きい外径を有する第三カートリッジ当接部であって、前記プロセスカートリッジを前記装置本体から取り外す際に、前記記録媒体によって前記第二カートリッジ当接部と当接する位置まで持ち上がった前記ガイド部材が前記電子写真感光体ドラムと接触しないように、前記ガイド部材と当接して押し下げる第三カートリッジ当接部と、
を有することを特徴とするプロセスカートリッジである。
【００１２】
本出願に係る第２の発明はプロセスカートリッジを着脱可能であって、記録媒体に画像を形成するための電子写真画像形成装置において、
（ａ）記録媒体の上方において前記記録媒体を転写ローラへガイドするためのガイド部材であって、前記記録媒体の搬送方向をガイドして搬送路を構成するガイド位置と、前記ガイド位置から上方に回動して、前記搬送路を開放する退避位置とをとり得るガイド部材と、
（ｂ）カートリッジフレームと、前記プロセスカートリッジを前記電子写真画像形成装置本体に装着した際に前記転写ローラと接触する電子写真感光体ドラムと、前記電子写真感光体ドラムに作用するプロセス手段と、前記カートリッジフレームに設けられた、前記プロセスカートリッジを前記装置本体に装着する際に、前記ガイド部材が前記退避位置に位置している場合に、前記ガイド部材に設けられた本体当接部に突き当って前記ガイド部材を前記ガイド位置へ移動させるための第一カートリッジ当接部であって、前記プロセスカートリッジを前記装置本体に装着する装着方向において前記電子写真感光体ドラムよりも前方に設けられた第一カートリッジ当接部と、前記カートリッジフレームに設けられた第二カートリッジ当接部であって、前記プロセスカートリッジを前記装置本体に装着した際に、前記ガイド部材において前記記録媒体が詰まった場合に、前記記録媒体によって前記ガイド部材が上方に持ち上がるのを規制するために前記ガイド部材と当接する第二カートリッジ当接部と、前記カートリッジフレームに設けられた、前記電子写真感光体ドラムと同軸で前記電子写真感光体ドラムの外径よりも大きい外径を有する第三カートリッジ当接部であって、前記プロセスカートリッジを前記装置本体から取り外す際に、前記記録媒体によって前記第二カートリッジ当接部と当接する位置まで持ち上がった前記ガイド部材が前記電子写真感光体ドラムと接触しないように、前記ガイド部材と当接して押し下げる第三カートリッジ当接部と、を有するプロセスカートリッジを取り外し可能に装着するための装着部材と、
（ｃ）前記記録媒体を搬送するための搬送部材と、
を有する電子写真画像形成装置である。
【００１３】
【発明の実施の形態】
（実施の形態１）
実施の形態１に係るプロセスカートリッジ及びこれを装着可能な電子写真画像形成装置について図１乃至図９を参照し具体的に説明する。ここでは説明の順序として、まず、図３乃至図５を参照してプロセスカートリッジ及びこれを装着可能な画像形成装置の全体構成について説明し、次に図２及び図６を参照して転写上ガイド、最後に図１及び図６乃至図９を参照してプロセスカートリッジ枠体の形状と転写上のガイドとの関係について説明する。
【００１４】
｛全体構成｝
この電子写真画像形成装置（レーザービームプリンタ）Ａは図３に示すように、光学系１から画像情報に基いたレーザー光像をドラム形状の電子写真感光体（感光体ドラム）７に照射して前記感光体ドラム７に潜像を形成し、この潜像を現像してトナー像を形成する。そして前記トナー像の形成と同期して、記録媒体である記録紙２を給紙カセット３ａからピックアップローラ３ｂによりピックアップし、搬送ローラ対３ｃや転写上ガイド１０３などからなる搬送手段で前記感光体ドラム７と転写手段としての転写ローラ４とのニップ部に搬送する。そして前記感光体ドラム７に形成したトナー像を前記転写ローラ４に電圧印加することによって記録紙２に転写し、その記録紙２を定着手段５へと搬送する。この定着手段５は駆動ローラ５ａ及びヒータ５ｂを内蔵する定着ローラ５ｃからなり、通過する記録紙２に熱及び圧力を印加して転写トナー像を定着する。そしてこの記録紙２を排出ローラ対３ｅ，３ｆで搬送し、反転搬送経路を通して排出部６へと排出するように構成している。尚、この画像形成装置Ａは手差しトレイ３ｇ及びローラ３ｈによって手差し給送も可能となっている。
【００１５】
一方、前記プロセスカートリッジＢは、電子写真感光体と、少なくとも１つのプロセス手段を備えたものである。ここでプロセス手段としては、たとえば電子写真感光体を帯電させる帯電手段、電子写真感光体に形成された潜像を現像する現像手段、電子写真感光体表面に残留するトナーをクリーニングするためのクリーニング手段等がある。
【００１６】
本実施の形態のプロセスカートリッジＢは、図４に示すように、ドラム形状の電子写真感光体（以下、感光体ドラムと称す）７を回転し、その表面を帯電手段８である帯電ローラ８ａへの電圧印加によって一様に帯電し、前記光学系１からの情報光を感光体ドラム７に露光して潜像を形成し、現像手段１０によって現像するように構成している。前記現像手段１０はトナー収納部１０ａ内のトナー送り部材１０ｂで送りだし、固定磁石１０ｃを内蔵した現像ローラ１０ｄを回転させると共に、現像ブレード１０ｅによって摩擦帯電電荷を付与したトナー層を現像ローラ１０ｄの表面に形成し、そのトナーを前記潜像に応じて感光体ドラム７へ転移させることによってトナー像を形成して可視像化するものである。そして転写ローラ４に前記トナー像と逆極性の電圧を印加してトナー像を記録紙２に転写した後は、クリーニングブレード１１ａによって感光体ドラム７に残留したトナーを掻き落とすと共に、スクイシート１１ｂによってすくいとり、廃トナー溜め１１ｃへ集めるクリーニング手段１１によって感光体ドラム７上の残留トナーを除去するように構成している。
【００１７】
尚、前記感光体ドラム７等の各部材は、トナーを収納するトナー容器１２ａと、現像ローラ１０ｄ等の現像部材を保持する現像フレーム１２ｂとを溶着して現像ユニットを構成し、これとクリーニングフレーム１２ｃに感光体ドラム７やクリーニング手段１１などを取り付けたクリーニングユニットを結合して構成したカートリッジ枠体に収納してカートリッジ化され、装置本体１３に設けたカートリッジ装着手段に対して着脱可能に装着される。
【００１８】
前記カートリッジ装着手段は、図１に示すように軸１４ａを中心にして開閉カバー１４を開くと、図５に示すように、カートリッジ装着スペースの左右両側面円弧形溝状にカートリッジ装着ガイド部１５（１５Ｌ，１５Ｒ）が対向して設けてあり（図５は一方側面のみを図示）、プロセスカートリッジＢを挿入するときのガイドとなっている。このガイド部１５Ｌ，１５Ｒにカートリッジ枠体の長手方向両側に突出したボス１６及び不図示の姿勢決め部材をガイド部材１５Ｒに挿入し、ボス１６をガイド部材１５の終端に位置決めし、開閉カバー１４を閉じることによってプロセスカートリッジＢを画像形成装置Ａに装着する。
【００１９】
前述した記録紙２の給紙カセット３ａから感光体ドラム７と転写ローラ４間の記録紙２の搬送路は、ピックアップローラ３ｂで給紙カセット３ａから送り出された記録紙２を反転する反転ガイド３ｄ、反転ガイド３ｄ及び手差しローラ３ｈにのぞんで設けられた夫々固定の上ガイド３ｉ、下ガイド３ｊからなる搬送路、この搬送路の出口側にのぞんで設けられた搬送ローラ対３ｃ、搬送ローラ対３ｃから感光体ドラム７と転写ローラ４とのニップ部へ記録紙２を案内する可動の転写上ガイド１０３、固定の転写下ガイド３ｋで構成されている。
【００２０】
｛転写上ガイドについて｝
図６に示すように転写上ガイド１０３が搬送ローラ対３ｃの上側のローラの軸３ｃ１に回動可能に取り付けられている。このような構成としているため転写上ガイド１０３の下方でジャムが起こった場合に、操作者がプロセスカートリッジＢを取り外す。そして操作者が手動によって、転写上ガイド１０３を起立させることでジャムした記録紙２を非常に容易に取り除くことが可能である。図２において搬送ローラ３ｃは記録紙２の搬送方向イに直角な幅よりも大であり、この両端部に突出する軸部３ｃ１にアーム１０３ａと、アーム１０３ａ先端のガイド部１０３ｂを一体にした転写上ガイド１０３の該アーム１０３ａの根本側が枢着されており、この枢着部から半径方向に離れたドッグ１０３ｃが不図示のストッパに当り、転写上ガイド１０３は図３のように横になった位置を保つ。
【００２１】
また転写上ガイド１０３には図２に示したように受け部１０４（本体当接部）が設けられている。この受け部１０４は転写上ガイド１０３が起立しているときや、転写上ガイド１０３がジャム（紙詰り）をした記録紙２により持ち上げられた状態でプロセスカートリッジＢを取り外すときにそれぞれ図１に示すようにプロセスカートリッジＢの枠体に設けられている突起部（カートリッジ当接部）１０１や円弧形状部（カートリッジ当接部）１０２と当接する位置に設けられている。そして、後で説明するように、起立した転写上ガイド１０３を倒したりジャムした記録紙２などにより持ち上げられた転写上ガイド１０３を押し下げたりするのに使われる。
【００２２】
上記突起部１０１、円弧形状部１０２はクリーニングフレーム１２ｃと一体又は別体を固定して設けられている。本実施の形態では、突起部１０１、及び、円弧形状部１０２は、クリーニングフレーム１２ｃと一体成型されている。
【００２３】
｛カートリッジフレームの形状と転写上ガイドとの関係について｝
このプロセスカートリッジＢのフレーム形状は図１に示したような形状となっている。
【００２４】
このフレーム形状の特徴としてまず、プロセスカートリッジＢ挿入方向で感光体ドラム７より前方でかつ長手方向（感光体ドラム７の軸線方向）で記録紙搬送領域外の位置に突起部１０１が設けられている事が挙げられる。
【００２５】
本実施の形態の画像形成装置Ａにあっては、前述したように転写上ガイド１０３下方でジャムが起こった場合に、まず操作者がプロセスカートリッジＢを取り外す。そして、操作者は転写上ガイド１０３を起立させジャムした記録紙２を取り除く。このジャム処理後に再びプロセスカートリッジＢを装着する際に、起立させた転写上ガイド１０３を元の位置に戻すのを操作者が忘れてしまい、転写上ガイド１０３が起立した状態でプロセスカートリッジＢを挿入してしまうことがありうる。
【００２６】
しかしこのような場合でも、前述したようにプロセスカートリッジ挿入方向において、感光体ドラム７よりも前方で、かつ、感光体ドラム７の長手方向において、紙搬送領域外の位置に突起部１０１（カートリッジ当接部）が設けられている。また転写上ガイド１０３には受け部１０４（本体当接部）が突起部１０１と当接する位置に設けられている。そのため、図７に示すように、プロセスカートリッジ装着途中で、感光体ドラム７よりも先に突起部１０１が起立した転写上ガイド１０３の受け部１０４に突き当たり、押し倒すことになる。そのため、感光体ドラム７がガイド１０３と突き当って、感光体ドラム７に傷が付くことを防止できる。この時、突起部１０１が転写上ガイド１０３を押し倒すことで、転写上ガイド１０３はジャムが起こる前の位置に戻る。そこで、そのままプロセスカートリッジＢを装着しプリントを行なうことができる。この突起部１０１は感光体ドラム７の長手方向において、記録紙搬送領域外に位置するようにフレーム１２ｃに設けられている。そのため、記録紙２の搬送を妨げる事はない。また、前記突起部１０１が画像形成装置本体１３のフレームに突き当たり、プロセスカートリッジＢの画像形成装置本体への装着を妨げないように、図５に示すように、画像形成装置本体のフレームには突起部１０１が進入するための溝部１０５が設けてある。
【００２７】
本実施の形態のフレーム形状の特徴の２つめとして、感光体ドラム７を支持している枠体に円弧形状部１０２が設けられている。この円弧形状部１０２は、プロセスカートリッジ挿入方向において、感光体ドラム７よりも後方で、かつ、感光体ドラム７の長手方向において、記録紙搬送領域外に設けられている。そしてその形状は、感光体ドラム７と同軸で、また、感光体ドラム７の径より大径である。
【００２８】
本実施の形態の画像形成装置Ａにあっては、上述したように、転写上ガイド１０３は搬送ローラ対３ｃの軸３ｃ１に回動可能に取付けられている。そのため、転写上ガイド１０３の下方でジャムが起こった場合、ジャムした記録紙２によって転写上ガイド１０３が上方に持ち上げられることが有りうる。
【００２９】
しかしこのような場合、図８に示すように転写上ガイド１０３は現像ユニットの角部１０６に当たるところまでしか持ちあがらない。また前述したように、感光体ドラム７を支持しているクリーニングフレーム１２ｃには、円弧形状部１０２が設けられている。したがって、操作者がプロセスカートリッジＢを取り外そうとした場合、図９に示すように、円弧形状部１０２は転写上ガイド１０３を押し下げるように受け部１０４に当接する。そのためプロセスカートリッジＢが取り外しにくくなることはない。また転写上ガイド１０３は前記円弧形状部１０２に当接しそれ以上感光体ドラム７に近付かないようになる。そのため転写上ガイド１０３が感光体ドラム７に当たることがない。
【００３０】
ここで、前述した実施の形態をまとめると次の通りである。記録媒体（例えば、記録紙２）の搬送方向をガイドするためのガイド部材（例えば、転写上ガイド１０３）であって、記録媒体の搬送方向をガイドするガイド位置と、前記ガイド位置から退避する退避位置とをとり得るガイド部材を有して、前記記録媒体に画像を形成するための電子写真画像形成装置本体に着脱可能なプロセスカートリッジにおいて、
カートリッジフレーム（例えば、クリーニングフレーム１２ｃ）と、
電子写真感光体（７）と、
前記電子写真感光体に作用するプロセス手段（例えば、帯電手段８、現像手段１０、クリーニング手段）と、
プロセスカートリッジを前記装置本体に装着する際に、前記ガイド部材が前記退避位置に位置している場合に、前記ガイド部材に設けられた本体当接部（例えば、受け部１０４）に突き当って前記ガイド部材を前記ガイド位置へ移動させるためのカートリッジ当接部（例えば、突起部１０２）と、ここで前記カートリッジ当接部は前記カートリッジフレームに設けられている。
【００３１】
また、前記カートリッジ当接部（例えば、突起部１０２）は、ドラム形状の前記電子写真感光体の軸線方向の一端側であって、プロセスカートリッジ（Ｂ）を前記装置本体に装着する際に、前記電子写真感光体（７）よりも前方へ突出するように設けられている。
【００３２】
更に、前記カートリッジ当接部（例えば、突起部１０２）は、プロセスカートリッジ（Ｂ）を前記装置本体に装着する際に、前記電子写真感光体（７）よりも下方へ突出するように設けられている。
【００３３】
また、前記電子写真感光体（７）の軸線方向の一端側には、プロセスカートリッジ（Ｂ）が装置から受けた駆動力を現像ローラ１０ｄへ伝達するためのはす歯ギア７ｂが設けられている、ここで現像ローラ１０ｄは、前記電子写真感光体（７）に形成された潜像を現像するためのものである。
【００３４】
前記カートリッジ当接部（例えば、突起部１０２）は、前記電子写真感光体（７）の軸線方向において、前記はす歯ギア７ｂよりも外側に設けられている。
【００３５】
また、前記カートリッジ当接部（例えば、突起部１０２）は、プラスチック製であって、プラスチック製のカートリッジフレーム（例えば、クリーニングフレーム１２ｃ）と一体成型されている。
【００３６】
また、前記カートリッジフレーム（例えば、クリーニングフレーム１２ｃ）から突出した前記カートリッジ当接部（例えば、突起部１０２）の形状は、略三角形である。
【００３７】
尚、前記プロセスカートリッジとは、帯電手段、現像手段またはクリーニング手段と電子写真感光体とを一体的にカートリッジ化し、このカートリッジを画像形成装置本体に対して着脱可能とするものである。
【００３８】
また、前記プロセスカートリッジとは、帯電手段、現像手段、クリーニング手段の少なくとも一つと電子写真感光体とを一体的にカートリッジ化して画像形成装置本体に対して着脱可能とするものである。
【００３９】
また、前記プロセスカートリッジとは、少なくとも現像手段と電子写真感光体とを一体的にカートリッジ化して装置本体に着脱可能とするものである。
【００４０】
また、前述した、トナー容器１２ａ、現像フレーム１２ｂ、クリーニングフレーム１２ｃ、突起部１０１、及び、円弧形状部１０２は、プラスチック製である。そして前記プラスチックは、ポリスチレン、ＡＢＳ樹脂（アクリロニトリル／ブタジエン／スチレン共重合体）、ポリカーボネイト、ポリエチレン、ポリプロピレン、である。
【００４１】
また、前述突起部１０２の形状は三角形状に限定されることはなく、適宜選択すれば良い。
【００４２】
また、前述突起部１０２は、クリーニングフレームに設けられることに限定されることなく、カートリッジを構成しているカートリッジフレームに適宜設けても良い。ここで、カートリッジフレームは、例えばクリーニングフレーム、現像フレーム、トナー容器等を含む。
【００４３】
なお、円弧形状部１０２は転写上ガイド１０２の受け部１０４に当って、転写上ガイド１０３を押し下げる形状であって、感光体ドラム７の軸方向から見て感光体ドラム７の外側にある形状であれば円弧に限らない。
【００４４】
前述した実施の形態によれば、ガイド部分でジャムが起きガイドが搬送路外へ押し出された状態でプロセスカートリッジを取り外しても、また、ジャム処理後ガイドを元に戻さずプロセスカートリッジを挿入しても、電子写真感光体ドラムに傷がついたり、画像形成装置本体から取り外しにくくなるような事がない。
【００４５】
【発明の効果】
以上説明した通り、本発明によれば、ガイド部材が退避位置に位置している場合において、プロセスカートリッジを電子写真画像形成装置本体に装着する際に、電子写真感光体ドラムがガイド部材に突き当たって、電子写真感光体ドラムが傷つくことを防止することができる。また、搬送路に記録媒体が詰まった場合において、プロセスカートリッジを電子写真画像形成装置本体から取り外す際に、ガイド部材が電子写真感光体ドラムに突き当たることを防止することができる。したがって、プロセスカートリッジの装置本体に対する着脱操作性を向上させることができた。
【図面の簡単な説明】
【図１】本発明を適用した一実施の形態におけるプロセスカートリッジの枠体形状を説明する斜視図である。
【図２】本発明を適用した一実施の形態における画像形成装置の転写上ガイドを説明する平面図である。
【図３】本発明を適用した一実施の形態における画像形成装置の全体構成を説明する縦断面図である。
【図４】本発明を適用した一実施の形態におけるプロセスカートリッジの全体構成を説明する縦断面図である。
【図５】本発明を適用した一実施の形態におけるプロセスカートリッジの装着部分を説明する斜視図である。
【図６】（ａ），（ｂ）は本発明を適用した一実施の形態における画像形成装置の転写上ガイドを説明する側面図である。
【図７】本発明を適用した一実施の形態におけるプロセスカートリッジのフレームの突起部の作用を説明する側面図である。
【図８】本発明を適用した一実施の形態におけるプロセスカートリッジのフレームの円弧形状部の作用を説明する側面図である。
【図９】本発明を適用した一実施の形態におけるプロセスカートリッジのフレームの円弧形状部の作用を説明する側面図である。
【符号の説明】
Ａ…電子写真画像形成装置（レーサービームプリンタ）
Ｂ…プロセスカートリッジ
１…光学系
２…記録紙
３ａ…給紙カセット  ３ｂ…ピックアップローラ  ３ｃ…搬送ローラ対  ３ｃ１…軸  ３ｄ…反転ガイド  ３ｅ，３ｆ…排出ローラ対  ３ｇ…手差しトレイ
３ｈ…手差しローラ  ３ｉ…上ガイド  ３ｊ…下ガイド  ３ｋ…転写下ガイド
４…転写ローラ
５…定着手段  ５ａ…駆動ローラ  ５ｂ…ヒータ  ５ｃ…定着ローラ
６…排出部
７…感光体ドラム（電子写真感光体）
８…帯電手段  ８ａ…帯電ローラ
１０…現像手段  １０ａ…トナー収納部  １０ｂ…トナー送り部材  １０ｃ…固定磁石  １０ｄ…現像ローラ  １０ｅ…現像ブレード
１１…クリーニング手段  １１ａ…クリーニングブレード  １１ｂ…スクイシート  １１ｃ…トナー溜め
１２ａ…トナーフレーム  １２ｂ…現像フレーム  １２ｃ…クリーニングフレーム
１３…装置本体
１４…開閉カバー  １４ａ…軸
１５…装着ガイド部材  １５Ｌ，１５Ｒ…装着ガイド部材
１６…ボス
１０１…突起部（カートリッジ当接部）
１０２…円弧形状部（カートリッジ当接部）
１０３…転写上ガイド  １０３ａ…アーム  １０３ｂ…ガイド部  １０３ｃ…ドッグ
１０４…受け部（本体当接部）
１０５…溝部
１０６…角部
【図１】
0003787445.tif 000002
【図２】
0003787445.tif 000003
【図３】
0003787445.tif 000004
【図４】
0003787445.tif 000005
【図５】
0003787445.tif 000006
【図６】
0003787445.tif 000007
【図７】
0003787445.tif 000008
【図８】
0003787445.tif 000009
【図９】
0003787445.tif 000010